(57)【特許請求の範囲】
【請求項１】
電話番号又は名前を電話帳データとして入力するキー入力装置と、キー入力装置から入力された電話番号又は名前を表示する表示装置と、キー入力装置により入力された電話番号又は名前を記憶しておくためのメモリとを有する携帯電話機であって、電話帳に名前データを登録するための名前データ登録処理において、キー入力装置から名前データが入力されると前記表示装置に表示するとともに入力中の名前データを記憶させ、名前データの入力中にキー入力装置からのキーの電源切断による割り込み処理が生じると、電源切断の処理を行い、次に電源ＯＮの状態となってデータ入力の待ち状態となり、キー入力装置から登録キーが押下されると、前記電話帳に名前データを登録するための名前データ登録処理となり、該名前データ登録処理においてキー入力装置から呼び出しキーが入力された場合には、電源切断する前に記憶させた入力途中の名前データをメモリから読み出し表示装置に表示させることを特徴とする携帯電話機。
【発明の詳細な説明】
【技術分野】
【０００１】
本発明は、電話機に名前、電話番号等を登録するデータ書き込み機能の改善に関する。
【背景技術】
【０００２】
従来の電話機では、登録機能を使用中に着信或は電源切断等の割り込み動作が発生した場合、登録機能画面が着信画面或は電源切断画面に切り替えられることにより名前、電話番号等のデータの入力作業あるいは登録作業が中断される。例えば、入力作業は図７の外観図に示す携帯電話装置において、機能キーＡ０２を用いて「かな」と英数を切り替えながらデータ入力キーＡ０３を用いてデータ入力作業を実行し、入力後登録キーＡ０１により電話機内のメモリに入力されたデータは登録される。この登録されたデータは呼出しキーＡ０４により読み出される。ここで登録キーＡ０１を押す動作に入る前、すなわち機能キーＡ０２および入力キーＡ０３による入力作業中に割り込みが発生した場合、登録途中にあったそれまでに入力したデータはすべて失われることになり、登録作業を再開する際には全データを最初から再入力する必要があった。
【発明の開示】
【発明が解決しようとする課題】
【０００３】
従来の電話機においては、上記のように割り込み動作が発生した場合には登録途中のデータはすべて失われてしまい、登録動作を再開する際には最初から再び登録作業を繰り返さなければならず、二度手間となり操作性が悪いという問題があった。本発明は従来の携帯電話機におけるこのような操作性の悪さを解決し、使い勝手のよい携帯電話機を実現することを目的としたものである。
【課題を解決するための手段】
【０００４】
上記の目的を達成するために本発明においては、電話番号あるいはユーザの名前等の固有情報を入力するための入力手段と、この入力手段から入力された前記固有情報を入力順に順次表示するＬＣＤ（液晶）等による表示手段と、前記入力手段により入力された前記固有情報を記憶しておくための書き換え可能な不揮発性メモリを有する記憶手段とを備えた電話機において、上記入力手段にはＲＡＭ等による揮発性の一時記憶手段が含まれており、電源遮断その他の割り込み処理信号の到来時には上記ＲＡＭ内の入力途中の上記固有情報を上記書き換え可能な不揮発性メモリに一旦移すことにより一時的に記憶せしめ、割り込み処理終了による上記固有情報入力処理の再開時には、上記不揮発性メモリに一時的に記憶された入力途中の上記固有情報を上記ＲＡＭに移すことにより上記固有情報を最初から入力を繰り返すことなく入力処理を継続することを特徴とする電話装置としている。
【発明の効果】
【０００５】
本発明によれば、電話帳等の名前、電話番号等の登録作業途中で着信や電源切断により作業中断が発生し、再度登録作業を開始する場合、登録データを最初から改めて最初から登録処理を行なう必要はなく、中断発生直前の状態から継続してデータ登録処理が再開出来るようになり、また、記録されたデータを再利用出来るため、同一データを繰返し入力する際にも操作性は向上する。
【発明を実施するための最良の形態】
【０００６】
以下、本発明を図により説明する。
【０００７】
本発明による処理系の一実施の形態の全体を図１に示す。図１における処理１０９の内容を図２に、処理１１０の内容を図３に示す。ここで、処理１０９および処理１１０の両者は、名前データ入力１０９、１１０と電話番号データ入力１０９１、１１０１の両方の処理に対してそれぞれ同一構成であり、したがって、図２の処理過程は処理１０９および処理１０９１に、図３の処理過程は処理１１０および処理１１０１に適用される。図４に本発明における処理を実行するシステムの基本構成を示す。上記各処理はＭＰＵ２０１で実行され、各処理の切り替えおよびデータ入力はキー入力装置２０２により実行される。入力途中のデータはＳＲＡＭ２０４に取り込まれ処理されるが、電源ＯＦＦあるいは着信等の割り込み処理が発生した場合、従来のデータ入力法においては処理中のＳＲＡＭ２０４内のデータは消去され割込みによる処理が開始される。このため割り込み処理が終了し、中断されたデータ入力を再開するときには、再び最初から入力をしなければならなかった。本発明においてはＳＲＡＭ２０４と並列に書き換え可能な不揮発性メモリ（ＥＥＰＲＯＭ）２０５を接続し、割り込み処理（１１１または１１４）が発生した場合には、割り込み処理内容をＬＣＤ等表示装置２０３により表示し、入力途中のデータを不揮発性メモリ（ＥＥＰＲＯＭ）２０５に一時的に退避させる構成としている。ここで割り込み処理が終了し、例えば電源ＯＮ、の状態になり入力処理を再開する際には、上記不揮発性メモリ２０５から入力途中であったデータを読み出しＳＲＡＭ２０４に再入力し、データの入力作業を継続再開する。
【０００８】
以下、本発明の実施の形態を図１のフローチャートにより説明する。まづ、電源ＯＮの状態（ステップ１０１）になった時、それ以前に割り込み処理により処理中断の状態にあれば、不揮発性メモリ２０５に退避されていた途中までの名前および電話番号等のデータはＳＲＡＭ２０４に復元され（ステップ１０２）データ入力の待ちの状態となり（ステップ１０３）、図４の表示装置２０３に例えば図５（ａ）に示す名前入力要求の画面を表示をする。この状態（ステップ１０３）でオペレータによるキー入力（ステップ１０４）が「電源ＯＦＦ」であれば（ステップ１０５）ＳＲＡＭ２０４の内容は不揮発性メモリ２０５に退避処理（ステップ１０６）が行われた後に登録処理を終了しシステム側で電源ＯＦＦの処理が実行される（ＥＸＩＴ）。また、キー入力が「電源ＯＦＦ」以外の場合で、続いての入力が登録キー（図７におけるＡ０１）であれば名前データの登録処理が行われ、この登録キー以外のキーが入力されるとキー入力待ち（ステップ１０３）の状態に戻る（ステップ１０７）。登録キー入力に続いて呼出しキー（図７におけるＡ０４）が入力される（ステップ１０８）とＳＲＡＭからの入力途中データを読み出す呼出し処理（ステップ１１０）が実行され、入力処理が継続される。しかし呼出しキー以外の入力があると名前の手入力処理（ステップ１０９）となり、オペレータが手入力することになる。なお、ステップ１０５からステップ１１０の処理中に割り込み処理が発生した場合にはすべてキー入力待ち受けの状態に戻り（ステップ１１１）、同時に割り込み処理の内容が表示装置２０３により表示される（ステップ１１８）。
【０００９】
名前の登録処理が終了し、割り込み処理も発生しなかった場合には続いて電話番号の登録処理に移るため、図５（ｂ）に示すような電話番号入力要求が表示され、オペレータにより再度登録キーＡ０１が押される（ステップ１１２）。この段階で登録キーＡ０１以外のキーが押された場合には、システムはキー入力待ちの状態（ステップ１０４）となる。登録キーＡ０１が入力され、続いて呼出しキーＡ０４が入力された場合（ステップ１１３）にはＳＲＡＭ２０４から登録データを読み出す呼出し処理（ステップ１１０１）となるが、登録キーＡ０１に続いて呼出しキーＡ０４以外のキー入力があると、手入力処理（ステップ１０９１）となる。以上の各ステップの経過中に着信等の割込み処理が発生した場合は、例えば図６に示す着信表示画面が表示（ステップ１１５）され入力待ちの状態に戻る。着信等による割り込みが発生しなかった場合で、オペレータによる登録キーＡ０１の入力（ステップ１１６）があれば登録処理（ステップ１１７）に進み、登録処理終了後にキー入力の待ち受けの状態（ステップ１０３）の状態となる。また、オペレータによる登録キーＡ０１の入力（ステップ１１６）がない場合は直ちにキー入力の待ちの状態（ステップ１０３）に戻る。
【００１０】
図２に手入力処理１０９の内容を示す。図においてＳＴＡＲＴは、名前入力の場合は図１における呼出しキー入力（ステップ１０８）に接続されており、名前キー入力（１０９３）、名前表示処理（１０９４）、名前データ記録処理（１０９５）を順次繰返し実行し、データ入力終了した所で登録キー（１０９２）を押すことにより、入力ループから抜け出しＥＸＩＴから出力され登録中断処理の可否をチェックするステップ（１１１）に移行する。
【００１１】
ここで登録中断の入力がなければ次ぎの電話番号入力のモードに入る。すなわち図１において登録キーＡ０１がＯＮとなれば電話番号入力モードとなり、ＯＦＦの状態であれば入力待ちの状態に戻る（１１２）。電話番号入力のモードであれば呼出しキーＡ０４を操作し、このキーがＯＮであれば電話番号呼出し処理（１１０１）に移行し、ＯＦＦであれば電話番号手入力処理（１０９１）に移行する（１１３）。ここで電話番号手入力処理（１０９１）は図２に示した名前入力処理（１０９）の場合と同一構成であり、図２においてＳＴＡＲＴは呼出しキーＡ０４の操作（１１３）に接続されており、ＥＸＩＴは上記操作処理中に着信があったか否かのチェック処理（１１４）に移る。この場合、図２において名前キー入力（１０９３）、名前表示処理（１０９４）、名前データ記録処理（１０９５）の各処理は図示しないがそれぞれ電話番号キー入力、電話番号表示処理、電話番号記録処理の各処理を行なうことになる。以上の名前および電話番号の各データ記録処理（１０９５）はデータ入力によるＬＣＤ表示された後、データを逐次図示しないがＳＲＡＭに記録していく方式としている。
【００１２】
図３に本発明に係る登録データの呼出し処理手順の概略フローチャートを示す。先ず、名前による呼出し処理（１１０）の場合は、ＳＴＡＲＴは図１における呼出しキーＡ０４入力（１０８）がＯＮの状態に接続されており、名前データ抽出処理（１１０２）が実行された後、ＳＲＡＭから抽出された名前データの表示処理（１１０３）が行なわれＬＣＤに表示される。ここで、抽出データの修正等により手入力必要の有無をチェック（１１０４）し、手入力不要の場合は本処理を終了しＥＸＩＴを経て図１における登録中断チェック（１１１）に移行する。また、手入力作業を実行する場合は図２に示した名前データ入力処理を実行することになる（１１０５）。また、電話番号からの呼出しは呼出しキーＡ０４を操作（１１３）し、同キーがＯＮの場合に実行される。
【図面の簡単な説明】
【００１３】
【図１】本発明によるデータ入力処理全体の流れを示すフローチャート。
【図２】名前および電話番号入力処理の流れを示すフローチャート。
【図３】名前および電話番号呼出し処理の流れを示すフローチャート。
【図４】本発明における各処理を行うための回路の基本構成を示すブロック図。
【図５】（ａ）名前登録時の画面表示例を、（ｂ）電話番号登録時の画面表示例を示す画面構成図。
【図６】着信時の画面表示図。
【図７】本発明が適用される携帯電話機の外観図。
【符号の説明】
【００１４】
２０１ マイクロプロセッサユニット（ＭＰＵ）
２０２ キー入力装置
２０３ 表示装置（ＬＣＤ）
２０４ ＳＲＡＭ
２０５ 不揮発性メモリ（ＥＥＰＲＯＭ）
【図１】
0004621223.tif 000002
【図２】
0004621223.tif 000003
【図３】
0004621223.tif 000004
【図４】
0004621223.tif 000005
【図５】
0004621223.tif 000006
【図６】
0004621223.tif 000007
【図７】
0004621223.tif 000008